【事件の表示】
　平成　２年特許願第１５３５８３号「情報処理装置および情報処理方法」拒絶査定に対する審判事件［平成　４年　２月１７日出願公開、特開平　４−　４７３７６］について、次のとおり審決する。
【結　論】
　本件審判の請求は、成り立たない。
【理　由】
１．手続きの経緯・本願発明
　本願は、平成２年６月１２日の出願であって、その請求項１に係る発明（以下、「本願発明」という。）は、平成９年６月１２日付け、平成１２年１月１１日付け、平成１２年６月１９日付け、及び平成１２年１０月２７日付けの手続補正によって補正された明細書及び図面の記載からみて、その特許請求の範囲の第１項に記載された次のとおりのものである。
　「第１および第２の画像情報が記憶されている記憶媒体から画像情報を読み出す読出手段と、画像情報を縮小する縮小回路と、少なくとも１頁分の画像情報を一時記憶するページメモリと、このページメモリに記憶されている画像情報を表示する表示手段と、を有する情報処理装置であって、
　前記読出手段により前記記憶媒体から読み出した前記第１の画像情報をページメモリに一時記憶し、前記表示手段により表示する第１の処理手段と、
　この第１の処理手段により前記表示手段により表示されている第１の画像情報上に第２の画像情報を重ね合わせる領域の大きさ、および領域の位置をパラメータデータとして指定するとともに、前記記憶媒体に記憶されている第２の画像情報の大きさをパラメータデータとして指定する指定手段と、
　この指定手段により指定された前記第２の画像情報を重ね合わせる領域の大きさと、前記記憶媒体に記憶されている第２の画像情報の大きさとに基づいて、前記第２の画像情報の縮小率を算出する算出手段と、
　この算出手段により縮小率を算出した際に、前記読出手段により前記第２の画像情報を読み出して前記縮小回路により前記縮小率に従って縮小する第２の処理手段と、
　この第２の処理手段によって得られた縮小画像を、前記指定手段により指定された前記第２の画像情報を重ね合わせる領域の位置に基づいて、前記ページメモリに直接書込む書込手段と、
　を具備することを特徴とする情報処理装置。」
２．引用刊行物
　これに対して、原審の拒絶の理由で引用した　実願昭６２−１３０２１３号（実開昭６４−３５４４９号）の願書に添附した明細書及び図面の内容を撮影したマイクロフィルム（以下、「引用例１」という。）には、図面とともに次の各記載がある。
（ａ）「この考案の手段は次の通りである。第１の指定手段１（第１図の機能ブロック図を参照、以下同じ）は例えばイラストメモリ等に予め固定的に記憶されている図形パターンや外字登録されている任意の図形パターンを指定する。第２の指定手段２はこの指定手段１で指定された図形パターン内に合成すべき文書もしくは図形等の被合成パターンを指定する。判断手段３は第１の指定手段１で指定された図形パターンの予め決められた範囲内に第２の指定手段２で指定された被合成パターンを合成可能であるか否かを判断する。この場合、被合成パターンが文書であれば、その文書を構成する文字数を求めると共に、図形パターンの合成範囲の大きさを文字を単位としてその中に何文字分合成できるかの合成可能文字数として求め、両者を比較することによって判断することもできるが、その判断の仕方は任意である。合成手段４は判断手段３で合成可能と判断された場合には、図形パターンの予め決められた範囲内に被合成パターンをそのまま合成し、合成不可と判断された場合には図形パターンを拡大あるいは被合成パターンを縮小してから図形パターンの予め決められた範囲内に被合成パターンを合成する。即ち、判断手段３で合成不可と判断された場合には図形パターンあるいは被合成パターンのいずれか一方のサイズを変更してから合成する。出力手段５は合成手段４で合成されたパターンを表示あるいは印字等により出力するものである。」（第４頁第２行〜第５頁第１１行）
（ｂ）「
構成
（ｃ）「いま、イラストメモリ２０にはイメージリーダ１９によって読み取られた任意のイラストパターンが格納されているものとする。この状態においてイラストパターンに文書データを合成して表示させる場合には、キー入力部１１に設けられている合成モードキーＣＰを操作する。すると、第３図のフローチャートにしたがった動作が実行される。先ず、イラストパターン内に合成すべき文書データをキー入力部１１から通常のキー操作手順にしたがって入力する（ステップＳ１）。すると、入力された文書データを構成する文字数（スペースを含む）が計数されると共にこの文字数がワークメモリ２１のＸレジスタに転送される（ステップＳ２、Ｓ３）。このようにして文書データを入力したら次に所望するイラストパターンの指定を行う（ステップＳ４）。この場合、イラスト指定キーＩＴを操作することによってイラストメモリ２０の内から所望するイラストパターンを指定することができる。そして、次のステップＳ５ではイラストパターンの初期倍率として「３」がワークメモリ２１のｎレジスタにセットされる（ステップＳ６）。これによってイラストパターンが縦３倍横３倍の拡大パターンに変換されると共に、表示部１６にイラスト表示される（ステップＳ６）。そして、表示されているイラストパターンのうちその内部に文書データを合成すべき範囲を指定する（ステップＳ７）。この場合、キー入力部１１に設けられているカーソルキー等を操作することによってその範囲指定が可能である。例えば第４図（Ａ）に示すようなイラストパターンを選択指定した場合、その内部に第４図（Ｂ）に示すような大きさの範囲（図中、罫線で囲んで示した範囲）を指定する。このようにして範囲指定が行われると、その範囲内に文字を単位として何文字分合成できるかの合成可能文字数が求められると共に、その文字数がワークメモリ２１のＹレジスタに転送される（ステップＳ８、Ｓ９）。そして、Ｘレジスタの値（文書データの文字数）とＹレジスタの値（イラストパターンの合成可能文字数）に基づいてイラストパターンの指定範囲内に文書データがはみ出すことなく合成可能か否かの判断が行なわれる（ステップＳ１０、Ｓ１１）。即ち、Ｙレジスタの値からＸレジスタの値を減算してＺレジスタに転送すると共に、そのＺレジスタの値が「０」以上か否かによってイラストパターンの指定範囲内に文書データを合成することができるか否かの判断が行われる。いま、Ｚレジスタの値が負の場合、イラストパターンの指定範囲内に文書データをそのまま合成すると、その範囲から文書データがはみ出してしまうので、このような場合は、ｎレジスタの値に「１」を加算するインクリメント処理が実行される（ステップＳ１２）。これによってイラストパターンがｎ×ｎ（４×４）倍に拡大表示されると共に、その拡大倍率に応じてその指定範囲が変更される（ステップＳ１３、Ｓ１４）。その後、ステップＳ８に戻り、４×４倍に拡大したイラストパターンに基づいてその指定範囲内に文書データを合成可能か否かを判断し、その結果、４×４倍に拡大しても合成不可であれば、更にイラストパターンを５×５倍に拡大して合成可能か否かの判断を行なう。このようにしてイラストパターンの拡大率を順次上��てゆくことによりその指定範囲内に文書データを合成することができるようになれば、その時のイラストパターンと共にその指定範囲内に文書データが合成表示される（ステップＳ１５）。第４図（Ｃ）はこの場合の表示状態を示し、今までのさし絵的なイラストの使い方からイラスト内に文書を挿入した楽しい文書作りが可能となる。」（第８頁１７行〜第１２頁第９行）
（ｄ）「
変形応用例
３．対比
　本願発明と引用例１に記載された発明とを対比する。
　先ず、画像の編集（平行移動、回転、変形、切り貼り、合成、階調変換等）を行うとき、元となる画像が記憶媒体に記憶されていること、記憶されている元の画像を読み出すこと、対象画像を特定し拡大又は縮小すること、編集途中及び編集後の画像を記憶装置に書き込むこと、画像を表示すること等の初等的操作は、言うまでもなく周知慣用されており、しかも最低限必要な操作である。
　また、画像合成時、重ねあわせる画像の縮小率又は拡大率を算出するために、重ねあわせられる画像上に重ねあわせる画像が入るべき領域の大きさ及びその位置、そして重ねあわせる画像の大きさを指定することも周知慣用されており、しかも最低限必要な事項であることは言うまでもないことである。
　さて、前記記載（ｄ）のうちに「上記実施例はイラストパターンの中に文書データを合成表示する場合を例に挙げたが、図形パターンの中に図形あるいは写真、記号等を合成表示するようにしてもよい。」（第１２頁第１６行〜第１９行）と記載されているから、引用例例１のイラストパターンは本願発明の第１の画像情報に相当し、文書データは第２の画像情報に相当することは明らかである。
　引用例１には、イラストパターンが記憶されているイラストメモリ２０からイラストパターンを読み出し、文書データが記憶されている文書メモリ１４から文書データを読み出すことが記載されている（前記記載（ｂ）参照。）から、引用例１に記載された発明は、画像情報を読み出す読出手段を有するものである。
　引用例１には、イラストパターンの中に文書データを合成することができない場合、文書データを縮小することが記載されている（前記記載（ａ）及び（ｄ）、特に（ｄ）を参照。）から、引用例１に記載された発明は、画像情報を縮小する縮小回路を有するものである。
　引用例１には、イラストパターンを表示部１６に表示することが記載されているから、引用例１に記載された発明は、画像情報を表示する表示手段を有するものである。
　そして、画像を表示するに際し、当然、ディスプレイメモリを用いるのであり、また画像合成の際には画像情報を一時記憶するメモリを用いるのは自明な技術常識であるから、引用例１に記載された発明は、ディスプレイメモリと画像情報を一時記憶するメモリを有するものである。
　引用例１には、イラストパターンが記憶されているイラストメモリ２０からイラストパターンを読み出し、表示制御部１５の制御により表示部１６にイラストパターンを表示することが記載されているから、表示制御部１６は本願発明の第１の処理手段に相当し、引用例１に記載された発明は、第１の処理手段を有するものである。
　前記記載（ｃ）のうちに「イラスト指定キーＩＴを操作することによってイラストメモリ２０の内から所望するイラストパターンを指定することができる。（中略）そして、表示されているイラストパターンのうちその内部に文書データを合成すべき範囲を指定する（ステップＳ７）。この場合、キー入力部１１に設けられているカーソルキー等を操作することによってその範囲指定が可能である。例えば第４図（Ａ）に示すようなイラストパターンを選択指定した場合、その内部に第４図（Ｂ）に示すような大きさの範囲（図中、罫線で囲んで示した範囲）を指定する。このようにして範囲指定が行われると、その範囲内に文字を単位として何文字分合成できるかの合成可能文字数が求められると共に、その文字数がワークメモリ２１のＹレジスタに転送される（ステップＳ８、Ｓ９）。」と記載されているように、引用例１に記載された発明は、イラストパターン（第１の画像情報に相当）上に文書データ（第２の画像情報に相当）を重ね合わせる領域の大きさ、および領域の位置をパラメータデータとして指定するとともに、文書データ（第２の画像情報）の大きさをもパラメータデータとして指定する指定手段を有するものである。
　したがって、引用例１に記載された発明は、
　「第１および第２の画像情報が記憶されている記憶媒体から画像情報を読み出す読出手段と、画像情報を縮小する縮小回路と、画像情報を一時記憶するメモリと、このメモリに記憶されている画像情報を表示する表示手段と、を有する情報処理装置であって、
　前記読出手段により前記記憶媒体から読み出した前記第１の画像情報をメモリに一時記憶し、前記表示手段により表示する第１の処理手段と、
　この第１の処理手段により前記表示手段により表示されている第１の画像情報上に第２の画像情報を重ね合わせる領域の大きさ、および領域の位置をパラメータデータとして指定するとともに、前記記憶媒体に記憶されている第２の画像情報の大きさをパラメータデータとして指定する指定手段とを具備する情報処理装置。」の発明である。
　さらに、引用例１に「
変形応用例
　「この指定手段により指定された前記第２の画像情報を重ね合わせる領域の大きさと、前記記憶媒体に記憶されている第２の画像情報の大きさとに基づいて、前記第２の画像情報の縮小率を設定する設定手段」を有するものであり、
　また、引用例１に「合成手段４は判断手段３で合成可能と判断された場合には、図形パターンの予め決められた範囲内に被合成パターンをそのまま合成し」（前記記載（ａ）参照。）、「判断手段３は図形パターンの予め決められた範囲内に被合成パターンを合成することができるか否かを判断する。この結果、合成可能であれば合成手段４は図形パターンに被合成パターンをそのまま合成する」（第５頁１９行〜第６頁第３行）、そして「その指定範囲内に文書データを合成することができるようになれば、その時のイラストパターンと共にその指定範囲内に文書データが合成表示される（ステップＳ１５）」（前記記載（ｃ）参照。）と記載されているから、引用例１に記載された発明は、画像情報を一時記憶するメモリに被合成パターンをそのまま、すなわち、直接書き込むものである。
　したがって、引用例１に記載された発明は、
　「この第２の処理手段によって得られた縮小画像を、前記指定手段により指定された前記第２の画像情報を重ね合わせる領域の位置に基づいて、前記画像情報を一時記憶するメモリに直接書込む書込手段」を有するものである。
　そうすると、本願発明と引用例発明とは、
　「第１および第２の画像情報が記憶されている記憶媒体から画像情報を読み出す読出手段と、画像情報を縮小する縮小回路と、画像情報を一時記憶するメモリと、このメモリに記憶されている画像情報を表示する表示手段と、を有する情報処理装置であって、
　前記読出手段により前記記憶媒体から読み出した前記第１の画像情報を前記メモリに一時記憶し、前記表示手段により表示する第１の処理手段と、
　この第１の処理手段により前記表示手段により表示されている第１の画像情報上に第２の画像情報を重ね合わせる領域の大きさ、および領域の位置をパラメータデータとして指定するとともに、前記記憶媒体に記憶されている第２の画像情報の大きさをパラメータデータとして指定する指定手段と、
　この指定手段により指定された前記第２の画像情報を重ね合わせる領域の大きさと、前記記憶媒体に記憶されている第２の画像情報の大きさとに基づいて、前記第２の画像情報の縮小率を設定する設定手段と、
　この設定手段により縮小率を設定した際に、前記読出手段により前記第２の画像情報を読み出して前記縮小回路により前記縮小率に従って縮小する第２の処理手段と、
　この第２の処理手段によって得られた縮小画像を、前記指定手段により指定された前記第２の画像情報を重ね合わせる領域の位置に基づいて、前記メモリに直接書込む書込手段と、
　を具備することを特徴とする情報処理装置。」である点で一致し、次の２点で相違する。
（相違点１）
　本願発明は、第１の画像情報上に第２の画像情報を重ねあわせる領域の大きさと、第２の画像情報の大きさとに基づいて、第２の画像情報の縮小率を算出しているのに対し、引用例１に記載された発明は、第１の画像情報上に第２の画像情報を重ねあわせる領域の大きさと、第２の画像情報の大きさとに基づいて適当な縮小率を設定し、被合成パターンをその縮小率で縮小し、図形パターンの予め決められた範囲内に縮小された被合成パターンを合成可能か否かを判断し、合成不可と判断された場合には再度縮小率を設定し直し合成可能となるまで繰り返す点。
（相違点２）
　本願発明は、画像情報を一時記憶するメモリを少なくとも１頁分の画像情報を記憶するページメモリとしているのに対し、引用例１に記載された発明は、画像情報を一時記憶するメモリの容量についての明記がない点。
４．当審の判断
　前記相違点１について判断する。
　第１の画像に第２の画像を重ねあわせる場合に、第１の画像（はめ込まれる画像）の指定領域の大きさ及び第２の画像（はめ込む画像）の大きさが与えられると第２の画像の縮小率は一意に定まり、後はこれを算出し、第２の画像を縮小すれば良いことは自明な技術常識であると認められるところ、原審の拒絶の理由で引用した特開平２−１４３３８０号公報（以下、「引用例２」という。）に「ステップＳ１５では画像変形部６がレイアウトパターンのサイズと画像サイズを比較し、該レイアウトパターン内に原稿画像が入るような拡大又は縮小倍率を算出して、原稿画像を拡大又は縮小し、かつ対応するレイアウト位置に表示する。」（第１０頁右下欄第６〜１１行）と記載され、また、引用例１にも「従来のワードプロセッサで図形パターン内の空白エリアに文書を入力作成し、合成して印字することもできるが、この場合、文書が実際に印字される印字領域に応じて図形パターンに印字サイズを予め設定する必要があった。」（第２頁第２０行〜第３頁第４行）と記載されているように、はめ込まれる画像情報上にはめ込む画像情報を重ねあわせる領域の大きさとはめ込む画像情報の大きさとに基づいて、はめ込む画像情報の縮小率を算出することは、当画像処理の分野では周知慣用されている技術事項であるから、第１の画像情報上に第２の画像情報を重ね合わせる領域の大きさと、第２の画像情報の大きさとに基づいて、前記第２の画像情報の縮小率を算出し、第２の画像情報を縮小率に従って縮小するようにすることは、当業者が何らの困難性なくなしえることである。
　次に、前記相違点２について判断する。
　画像合成時に画像情報を一時記憶するメモリの容量をどのくらいにするかは、当業者が適宜設定すべき設計事項レベルのことであると認められるから、画像情報を一時記憶するメモリを少なくとも１頁分のページメモリとすることは、当業者が適宜なしえることである。
５．むすび
　以上のとおり、本願発明は、引用例１に記載された発明及び周知技術に基いて当業者が容易に発明をすることができたものであるから、特許法第２９条第２項の規定により特許を受けることができない。
　　よって、結論のとおり審決する。